(57)【特許請求の範囲】
【請求項１】
電気信号を伝達するための少なくとも１つの電極（１０、２０、３０、４０、５０、６０、１１０）を含む埋め込み可能なデバイス（１００）であって、
前記電極は、生物学的細胞または組織と直接接触する少なくとも１つの部分（１２、２２、３２、４２、５２、６２）を含み、
前記少なくとも１つの部分（１２、２２、３２、４２、５２、６２）は、窒化インジウム（ＩｎＮ）から形成され、前記少なくとも１つの部分への細胞の接着が阻害されるように前記少なくとも１つの部分は導電性または半導電性であることを特徴とするデバイス。
【請求項２】
請求項１に記載のデバイスであって、
前記電極は、その全体が窒化インジウム（ＩｎＮ）から形成されることを特徴とするデバイス。
【請求項３】
請求項１に記載のデバイスであって、
前記少なくとも１つの部分（４２）が、前記電極のコーティングを含むことを特徴とするデバイス。
【請求項４】
請求項３に記載のデバイスであって、
前記コーティングが、前記電極を一体的にカバーすることを特徴とするデバイス。
【請求項５】
請求項１から４のいずれか１項に記載のデバイスであって、
前記電極の部分は、前記電極を生物学的細胞または組織に電気的に接続するための接続手段を含むことを特徴とするデバイス。
【請求項６】
請求項５に記載のデバイスであって、
前記接続手段は、前記電極の、前記窒化インジウムの表面部分（３２）に覆われた少なくとも１つの電極端部を含むことを特徴とするデバイス。
【請求項７】
請求項１から６のいずれか１項に記載のデバイスであって、
前記電極は、前記窒化インジウム（ＩｎＮ）からなる前記少なくとも１つの部分（１２、２２、３２、４２、５２、６２）とは異なる少なくとも１つの部分（１４、２４、３４、４４、５４、６４）を含み、
前記少なくとも１つの部分（１２、２２、３２、４２、５２、６２）は、導電体または半導体材料からなることを特徴とするデバイス。
【請求項８】
請求項１から７のいずれか１項に記載のデバイスであって、
前記電極は、最上層を含む層状構造を有し、
前記最上層は、生物学的細胞または組織に直接接触する少なくとも１つの部分（１２、２２、３２、４２、５２、６２）を含むことを特徴とするデバイス。
【請求項９】
請求項１から８のいずれか１項に記載のデバイスであって、
前記電極（１１０）に動作可能に接続され、前記電極によって伝達される信号を処理するように構成された信号処理手段（１０２）を更に含むことを特徴とするデバイス。
【請求項１０】
請求項１から９のいずれか１項に記載のデバイスであって、
前記窒化インジウム（ＩｎＮ）の部分は、インジウムトリオキシド（Ｉｎ２Ｏ３）または水素を含む薄層を更に含むことを特徴とするデバイス。
【請求項１１】
インプラント電極材料としての窒化インジウム（ＩｎＮ）の使用であって、
前記電極上の細胞接着を阻害するため、および生物学的細胞または組織に接触し、電気信号を伝達するための窒化インジウム（ＩｎＮ）の使用。
【発明の詳細な説明】
【技術分野】
【０００１】
本発明は、生体内等に埋め込み可能な材料およびデバイスの分野に関する。本発明は、特に、電極が直接接触する生物学的細胞または組織へ、および／または生物学的細胞または組織から電気信号を伝達するための電極に関する。
【背景技術】
【０００２】
様々な生物学的組織および細胞の活性を模倣し、プロービングし、および／または回復させるために、いくつかの材料およびデバイスが研究され提案されてきている。細胞刺激または細胞モニタリングのための生体適合性電極は、依然として脳の機械的インタフェースとして機能するデバイスのための構成要素として必要とされている。一例として、１９９０年代初頭に実施された最初の成功した神経機能代替−蝸牛（人工内耳）インプラントは、電極アレイを使用して電気インパルスで蝸牛の聴神経を刺激する神経インタフェースデバイスである。末梢神経の電気刺激は、痛みの治療、運動機能の回復、てんかんの治療のために臨床医から多くの関心を集めてきている。更に、ニューロエンジニアリング研究コミュニティは、中枢神経系（ＣＮＳ）のための様々な神経インタフェースデバイスを研究してきた。そのようなデバイスは、脳の深部刺激を伴う適切な電荷送達を介して、気分障害、てんかんまたはパーキンソン病で生じる症状を調節するように設計されている。脳信号の記録は、脳−コンピュータインタフェース、ＢＣＩを制御するために使用されている（非特許文献１参照）。
【０００３】
埋め込み可能なデバイスおよび神経インタフェースには、いくつかの具体的な課題がある。すなわち、
−インプラント周囲の炎症反応やグリオーシス（神経膠症）を軽減すること（これら炎症反応やグリオーシス（神経膠症）は、デバイスへ／デバイスから伝達される信号の信号対雑音比を低下させるか、慢性的な記録障害につながるため）（非特許文献２参照）、
−神経細胞密度の高い脳の部分への信号の収集およびそこからの信号の収集を可能にする神経インタフェースの空間分解能を改善すること、および
−正確な領域を選択的に刺激して、ＣＮＳからの特定の応答を誘発すること、
である。
【０００４】
以下の説明および本明細書全体を通して、生体適合性という用語は、体内において望ましくない局所的または全身的な影響を引き起こすことなく、移植されたすなわち埋め込まれた環境において所望の機能を果たし、有益な細胞応答および組織応答を維持するという埋め込まれたデバイスおよびその構成要素の能力を指すために使用される。
【０００５】
更に、埋め込まれたデバイスまたは材料のバイオファウリングとは、デバイスまたは材料上での組織の制御されない成長を指す。
【０００６】
いくつかの材料が生体内バイオインプラント用途のために試験されているが、ポリマーはその可塑性および生体適合性から現時点での選択材料である。脳−機械インタフェース（ＢＭＩ）において、ポリマーは、主に半導体材料のカプセル化マトリックスとして使用される。ポリ（３，４−エチレンジオキシチオフェン）、ＰＥＤＯＴ、ポリアニリンまたはポリチオフェン等のいくつかのポリマーは導電性を有することが知られている。導電性ポリマーの使用により、埋め込まれた材料の生体適合性を高め、周囲の細胞との相互作用を可能にすることができる。しかしながら、導電性ポリマーは、バイオファウリングまたは脳の常在免疫細胞における物質の取り込みによって引き起こされるインピーダンスの変化に対して過敏なままである（非特許文献３参照）。
【０００７】
Ｅｓｔｅｐｈａｎらは、非特許文献４において窒化インジウムの生体適合特性について論じている。
【０００８】
特許文献１（国際公開第２００９／０６５１７１号）は、蝸牛インプラントのための電極アレイを開示している。ここでは、インプラントへの細胞または組織の接着を防止するためのシリコンを使用することが記載されている。
【先行技術文献】
【特許文献】
【０００９】
【特許文献１】国際公開第２００９／０６５１７１号
【非特許文献】
【００１０】
【非特許文献１】Santhanam G, Ryu SI, Yu BM, Afshar A, Shenoy KV, Nature 442:195-98 (2006)
【非特許文献２】Turner JN, Shain W, Szarowski DH, Andersen M, Martins S, et al., Exp. Neurol. 156:33-49 (1999)
【非特許文献３】Bellamkonda, R. V.; Pai, S. B.; Renaud, P. MRS Bulletin 2012, 37 (06), 557-561
【非特許文献４】Estephan et al., "Phages recognizing the Indium Nitride semiconductor surface via their peptides", J. Pept. Sci. 2011; 17: 143-147
【発明の概要】
【発明が解決しようとする課題】
【００１１】
したがって、本発明の目的は、従来技術の欠点の少なくともいくつかを克服する、埋め込まれたデバイスから生物学的細胞へ電気信号を伝達、または生物学的細胞から埋め込まれたデバイスへ電気信号を伝達するための埋め込み可能な電極を提供することである。
【課題を解決するための手段】
【００１２】
本発明の第１の態様によれば、電気信号を伝達するための埋め込み可能な電極が提供される。前記電極は、生物学的細胞または組織と直接接触するための少なくとも１つの部分を含む。前記電極は、前記部分が導電性または半導電性であり、前記部分上のセルの接着が阻害されるように、前記部分が窒化インジウム（ＩｎＮ）からなることを特徴とする。
【００１３】
第１の部分の表面は、例えばインジウムトリオキシド（Ｉｎ２Ｏ３）または微量の水素のような不純物を有する薄層を含み得る。
【００１４】
好ましくは、前記電極は、その全体が、窒化インジウム（ＩｎＮ）から形成され得る。
【００１５】
前記電極の部分は、前記電極のコーティングを含み得る。前記コーティングは、好ましくは前記電極を一体的にカバーし得る。
【００１６】
前記電極の部分は、前記電極を生物学的細胞または組織に電気的に接続するための接続手段を含み得る。前記接続手段は、好ましくは前記電極の少なくとも１つの電極端部を含み得る。特に、前記電極はワイヤ形状であり得る。
【００１７】
好ましくは、前記電極は、ＩｎＮからなる前記部分とは異なる少なくとも１つの部分（第２の部分）を含み、その第２の部分は、導電体または半導体材料からなる。
【００１８】
前記電極は、生物学的細胞または組織に直接接触するＩｎＮからなる前記部分を含む最上層を含む層状構造を有し得る。
【００１９】
本発明の更なる態様によれば、埋め込み可能なデバイスが提供される。前記埋め込み可能なデバイスは、本発明による電極に適合する電気信号を伝達するための少なくとも１つの電極を含む。好ましくは、前記デバイスは電子デバイスである。
【００２０】
前記デバイスは、前記電極に動作可能に接続され、前記電極によって伝達される信号を処理するように構成された信号処理手段を更に含み得る。
【００２１】
本発明の更に別の態様によれば、インプラント電極材料としての窒化インジウム（ＩｎＮ）の使用であって、前記電極上の細胞接着を阻害するため、および生物学的細胞または組織に接触し、電気信号を伝達するための窒化インジウム（ＩｎＮ）の使用が提供される。
【００２２】
本発明による埋め込み可能な電極は、埋め込まれた電極が直接接触している生物学的細胞または組織のいずれかに電気信号を伝達し、またはそこから電気信号を伝達するために使用され得る。前記電極が埋め込まれた生体組織に直接接触する電極の少なくとも１つの部分は、窒化インジウム（ＩｎＮ）からなる。ＩｎＮは、１つの材料で埋め込み可能な電極のためのいくつかの所望の特性を再編成する（まとめて与える）ことが観察されている。すなわち、導電性（または半導電性）であり、細胞接着を阻害するため、長期間にわたって細胞に直接接触しても表面上での細胞増殖を阻害する。更に、それは埋め込まれた生物学的環境に対する毒性を示さない。
【００２３】
ＩｎＮ上での細胞接着および細胞増殖の阻害は、これらの現象がＩｎＮが接触する細胞に応じて防止されるかまたは著しくその進行が遅れらさることを意味する。ＩｎＮ上で細胞の増殖が阻害されると、上記のバイオファウリングの現象は、既知の埋め込み可能な電極材料と比較して減らされる。バイオファウリングまたは生物学的接着の減少の効果は、電極によって伝達される電気信号に対して測定可能な信号対雑音比の改善が観察されることである。実際、埋め込み中に電極と細胞／組織との間の適切な接触が確立されると、接触の質はバイオファウリングによって損なわれない。したがって、インプラントの寿命が延び、電極のメンテナンスの必要性および／または埋め込まれた人のための手術の反復の必要が少なくなる。
【００２４】
ポリマーコーティングは、既知の埋め込み可能な導電性電極の生体適合性を改善することが示唆されているが、電極材料自体が電極と直接接触する細胞／組織と生体適合性を示すため、ＩｎＮ電極の使用により特別なコーティングの必要性は排除される。したがって、本発明による埋め込み可能な電極は、他の材料で作成された既知の埋め込み可能な電極としての製造および維持が一層容易である。
【００２５】
ＩｎＮ電極の使用によりポリマーコーティングの必要性が排除されるので、ポリマーの毒性に関連する問題は軽減される。ＩｎＮの毒性レベルは非常に低いことが判明している。
【００２６】
本発明のいくつかの実施形態を、下記の図面を参照して説明するが、これは本発明の範囲を限定するものではない。
【図面の簡単な説明】
【００２７】
【図１】図１ａおよび図１ｂよりなり、それぞれＧａＮおよびＩｎＮ上部層を有するサンプルの構造を概略的に示す図である。
【図２】図２ａおよび図２ｂよりなり、それぞれ細胞株ＭＣＦ１０ＡおよびＨＳ−５について図１のサンプルを用いて得られた細胞生存率の結果を示す図である。
【図３】図３ａおよび図３ｂよりなり、図１のサンプルを用いて得られた細胞接着結果を示す図であり、図３ａおよび図３ｂは、それぞれＧａＮおよびＩｎＮサンプル上の異なる細胞株の接着を示す。
【図４】本発明による埋め込み可能な電極の好ましい実施形態を概略的に示す図である。
【図５】本発明による埋め込み可能な電極の好ましい実施形態を概略的に示す図である。
【図６】本発明による埋め込み可能な電極の好ましい実施形態を概略的に示す図である。
【図７】本発明による埋め込み可能な電極の好ましい実施形態を概略的に示す図である。
【図８】本発明による埋め込み可能な電極の好ましい実施形態の断面を概略的に示す図である。
【図９】本発明による埋め込み可能な電極の好ましい実施形態の断面を概略的に示す図である。
【図１０】本発明による埋め込み可能なデバイスの好ましい実施形態を概略的に示す図である。
【発明を実施するための形態】
【００２８】
以下、好ましい実施形態および図面に基づいて本発明を更に詳細に説明する。特に断らない限り、特定の実施形態に提示される技術的特徴は、他の実施形態の特徴と組み合わせることが可能であることを理解されたい。初めに、提示された結果を得るために使用される材料および方法について説明する。
【００２９】
［材料および方法］
窒化インジウム（ＩｎＮ）材料を含む最上層、すなわち細胞接触層を含むデバイスの存在下での細胞の挙動をシミュレートするために、化学気相成長法（ＣＶＤ）を用いてサファイアまたはシリコン基板上に異なる構造を合成した。図１ａおよび図１ｂに示す構造はサファイアの底部絶縁層を含み、この底部絶縁層は電極を形成するいくつかの層の基板として機能する。最上層は、試験中に生物学的細胞と直接接触する唯一の層である。図１ａはＧａＮからなる細胞接触最上層を示し、図１ｂはＩｎＮからなる細胞接触最上層を示す。最上層は約２００ｎｍの厚さを有する。図示された中間層は、それぞれＧａＮのＩｎＮ最上層との間の電気信号の伝達を最適化するべく選択されたものである。
【００３０】
それらの存在は、上層の生体接着および毒性に関する結果に影響しない。窒化ガリウム上の細胞接着および増殖は従来より公知である。それぞれの最上層の存在下での細胞の生体接着および毒性を評価するために、Ｓｉｇｍａ−Ａｌｄｒｉｃｈ  ＸＴＴ（商標）試験および生体接着試験が行われてきた。
【００３１】
報告された結果を得るために使用された実験手順を、以下に記載する。
【００３２】
接着顕微鏡法を実施するために、要素を、１ウェル当たり２５ｍｍ２要素で２４ウェルプレートに入れた。ダルベッコ変法イーグル培地中のそれぞれ５'０００および１０'０００の細胞と、ＤＭＥＭ−１％ウマ血清中とともに、神経成長因子１００ｎｇ／ｍｌを含有する５００μｌのＧＦＰ（緑色蛍光タンパク質）−ＰＣ１２懸濁液を加えて、７２時間インキュベートした。
【００３３】
Ｗｅｓｔｂｕｒｇ  Ｅｖｏｓ（商標）顕微鏡で画像化する前に、上清を吸引し、フェノールレッドを含まない新鮮なＤＭＥＭ培地と交換した。要素の画像化は、フェノールレッドを含まない新鮮なＤＭＥＭ培地中のＺｅｉｓｓ  ＬＳＭ  ５１０（商標）を用いる共焦点顕微鏡法実験か、またはリン酸緩衝化生理食塩水（ＰＢＳ）中のＺｅｉｓｓ（商標）顕微鏡を使用する反射モードの光学顕微鏡法によって行った。
【００３４】
Ｐｆｉｚｅｒ  Ａｄｒｉｂｌａｓｔｉｎａ（商標）を、すぐに使用できる注射用溶液ドキソルビシン（ｄｏｘ）として使用した。Ｉｎｖｉｔｒｏｇｅｎ（商標）ＮＧＦ２．５Ｓ神経成長因子をＰＢＳ／０．１％ウシ血清アルブミンで希釈し、−２０℃で保存した。
【００３５】
３種の接着細胞株を試験に使用した。第１の細胞株として、ヒト乳房非腫瘍形成性上皮細胞株ＭＣＦ１０Ａを、５％ウマ血清、表皮成長因子ＥＧＦ（Ｓｉｇｍａ−Ａｌｄｒｉｃｈ（商標）２０ｎｇ／ｍｌ）、ヒドロコルチゾン（Ｓｉｇｍａ−Ａｌｄｒｉｃｈ（商標）０．５ｍｇ／ｍｌ）、コレラ毒素（Ｇｅｎｔａｕｒ（商標）１００ｎｇ／ｍｌ）、インスリン（Ｓｉｇｍａ−Ａｌｄｒｉｃｈ（商標）１０ｍｇ／ｍｌ）、１００Ｕ／ｍｌのペニシリンおよびストレプトマイシンを補充したＤＭＥＭ／Ｆ１２培地で増殖させた。
【００３６】
第２の細胞株として、ＨＳ−５ストロマ細胞株を、ＤＭＥＭ、１０％ウシ胎仔血清、１００Ｕ／ｍｌのペニシリンおよびストレプトマイシン中で培養した。
【００３７】
第３の細胞株として、埋め込み可能なラット副腎髄質の神経内分泌腫瘍由来のＰＣ−１２細胞株を、１０％ウマ血清、５％ウシ胎仔血清、１００Ｕ／ｍｌのペニシリンおよびストレプトマイシンで増殖させた。このモデルの神経細胞表現型は、７２時間、ＤＭＥＭ−１％ウマ血清中の１００ｎｇ／ｍｌの神経成長因子を用いて誘導される。神経成長因子で処理した場合、ＰＣ１２細胞は分裂を停止し、最終的に分化する。このことで、ＰＣ１２細胞が神経細胞分化のためのモデル系として有用になる。
【００３８】
全ての細胞株は、５％のＣＯ２および９５％の湿度を有する周囲環境において３７℃の温度に維持した。
【００３９】
細胞生存率は、製造者の説明書にしたがって比色分析法Ｓｉｇｍａ−Ａｌｄｒｉｃｈ  ＸＴＴ（商標）アッセイを用いて測定した。１ウェルあたり３'０００の細胞を、異なるエレメントを含むかまたは含まない４８ウェルプレート上に４６〜９６時間プレートした。暴露終了４時間前にＸＴＴを追加した。暴露終了時に、上清の光学密度を４９０ｎｍで読み取った。毒性の陽性対照は、ドキソルビシン処置で得られた。
【００４０】
記載された方法および実験装置を用いて記載されたサンプルについて得られた結果を図２および図３に示す。
【００４１】
図２ａおよび図２ｂは、サファイア、ＧａＮおよびＩｎＮのそれぞれの細胞接触層上におけるＭＣＦ１０乳腺上皮細胞（図２ａ）およびＨＳ５間質細胞（図２ｂ）の生存率を示す。対照およびｄｏｘサンプルを含む異なるサンプルの存在下で、細胞を４８時間、７２時間または９６時間インキュベートした。後者は細胞死を誘導する陽性対照である。結果はパーセンテージ（光学濃度（ＯＤ）、対照サンプルについて計算した所与のサンプル／ＯＤについて計算）で表し、統計誤差は結果ごとに示す。観察できるように、ＭＣＦ１０細胞生存率のＨＳ５は、ＩｎＮおよびサファイアの存在下では影響を受けない。Ｄｏｘ陽性対照は、試験した細胞が過剰耐性でないことを証明している。
【００４２】
図３ａおよび図３ｂは、図３ａのＧａＮおよび図３ｂのＩｎＮの異なる細胞接触層について、上記のように得られた細胞の生体接着の結果を示す。ＨＳ５およびＭＣＦ１０細胞の他に、ＰＣ１２細胞を神経細胞のモデルとして試験した。ＩｎＮの場合、実質的に細胞は基板上に付着することができない。ペトリ皿において、細胞は対照サンプルと同様にプラスチック部分の上で増殖し、誘導毒性の兆候は見られなかった。これにより、図２ａおよび図２ｂに示す生存率の結果が確認される。
【００４３】
本明細書に記載の全ての実施形態において、窒化インジウム（ＩｎＮ）層の表面は、例えばインジウムトリオキシド（Ｉｎ２Ｏ３）、または微量の水素などの不純物を有する薄層を含むことができる。
【００４４】
［利用］
窒化インジウム電極に対するバイオファウリング阻害の驚くべき効果に基づいて、さまざまな用途が実現可能であり、そのうちいくつかは実施例として記載されているが、本発明の範囲はこれらの実施例に限定されるものではない。
【００４５】
本発明の好ましい実施形態では、埋め込み可能デバイスは、埋め込み可能電極を備える。電極は、生物学的細胞または組織と直接接触するための少なくとも１つの部分を含む。この部分はＩｎＮからなり、生物学的細胞または生体組織へのまたは生物細胞または組織からの電気信号の伝達を可能にする。特に、電極は、細胞活性をプロービング／検知するため、または細胞または組織に電気インパルスを伝達するために使用することができる。電極はまた、２つの細胞または組織領域の間の電気的接続を提供するために使用されてもよく、この場合、各領域には電極の特定のＩｎＮ部分が直接接触する。
【００４６】
以下の実施形態において、類似の概念には、類似の参照符合が付されている。例えば、符合１０、２０、３０、・・・は、別個の実施形態にわたる本発明による埋め込み可能デバイスの電極を特定するために使用される。
【００４７】
図４は、本発明による埋め込み可能デバイスの電極１０の実施形態を示す。明確化のために、電極１０のみが示されている。一例として、生体細胞または組織に接触するために使用されるＩｎＮからなる部分１２を含む平面電極が示されている。別の実施形態では、電極は任意の形状とされ、ＩｎＮからなる複数の部分１２を含むことができる。図示されているように、電極１０は、ＩｎＮからなるものではなく、別の導電性または半導電性の材料（導体材料または半導体材料）からなる更なる部分１４を少なくとも１つ備えていてもよい。部分１４は、生物学的細胞または組織に直接接触するために使用されないので、部分１４の毒性およびバイオファウリング要件は、部分１２の毒性およびバイオファウリング要件より厳格ではない。部分１４の材料は、ＩｎＮ部分１２が使用される特定の用途に応じて決めることができる。当業者は、例えば、部分１２への、および部分１２からの電気信号の伝達を最適化するために、部分１４に適切な材料を選択することができるであろう。
【００４８】
図５に示す実施形態では、電極２０はＩｎＮからなる表面部分２２を含むワイヤ形状の電極であり、その上でのバイオファウリングを阻害し、接触した細胞に対する毒性が低いことから、生物学的細胞または組織に直接的かつ永続的に接触するのに適している。
【００４９】
図６に示す実施形態では、電極３０は、電極端部を覆うＩｎＮ製の表面部分３２を含むワイヤ形状の電極である。したがって、電極端部は、バイオファウリングを阻害し、接触した細胞に対して低い毒性を示すので、生物学的細胞または組織に直接および永続的に接触させるのに適したものに作成される。
【００５０】
図７に示す本発明の別の実施形態によれば、ＩｎＮ部分４２は、好ましくは電極全体を覆う埋め込み可能な電極４０のコーティングである。生体適合性の表面を提供するためにも使用される既知のポリマーコーティングと比較して、ＩｎＮコーティング４２は、周囲の細胞または組織に対する毒性が低いという更なる利点を有する。
【００５１】
図８の実施形態に示すように、部分５２は電極５０全体を含むことができる。図示の例では、バルクのＩｎＮ電極５０は基板５１上に支持され、基板５１は、電極５０が使用される用途に応じて、導電性または絶縁性基板であり得る。
【００５２】
図９は、基板６１によって支持された、本発明による埋め込み可能なデバイスの別の電極６０を示す。生物学的細胞または組織に直接的かつ永続的に接触するのに適し、そこから、および／またはそこへ電気信号を伝達するための上層６２とは別に、電極６０は、生物学的細胞または組織に直接接触するのに適していない１つ以上の下層６４を更に含む。
【００５３】
上記の結果および説明から、本発明による電極は、埋め込まれたデバイスとデバイスが埋め込まれた組織との間で、そのようなデバイス間で、またはそのような組織間で永続性のある電気的接続を確立することを可能にする、埋め込み可能な電極であることは明白であろう。ＰＣ１２細胞株との良好な適合性の結果として、本発明による電極は、脳の正確な領域の選択的な刺激／プロービングが必要な脳−コンピュータインタフェースでの用途で特に使用される。上記のＩｎＮを含む電極部分は、ＣＶＤなどの既知の方法によって製造することができ、そのような既知の方法は、それを説明すると本明細書の記載内容以外にも及ぶが、当業者の知識の範囲内である。ＩｎＮ部分、層またはコーティングは、厚い層または薄い層として、好ましくはマイクロまたはナノスケールの寸法のものとして製造することができる。電極は特に、基板上のプリント回路の一部として提供されてもよい。
【００５４】
本発明の更なる実施形態によれば、生物学的細胞または組織１０１に直接接触するためのＩｎＮ製の少なくとも１つの部分１１２を含む少なくとも１つの電極１１０を含む、埋め込み可能な電子デバイス１００が提供される。埋め込み可能なデバイスは、当業者には公知であり、本明細書では詳細に説明しない信号処理手段１０２を備える。信号処理手段は、受信信号を増幅またはフィルタリングするための手段を含むことができる。信号処理手段は、生体組織に直接接触する電極に動作可能に接続される。
【００５５】
したがって、電極１１０は、細胞または組織から発せられた信号を信号処理手段１０２に送信するために、または処理された信号を細胞または組織に送信するために使用され得る。後者の場合、埋め込み可能なデバイスは、図示されていない信号発生手段、例えば可変電圧源または可変電流源、および信号処理経路への入力部としての適切な制御／処理手段を更に含むことができる。このような手段は当業者には公知である。
【００５６】
埋め込み可能なデバイスは、埋め込まれたデバイスへの信号、またはそれから受信した信号を処理または送信するために、ＭＯＳＦＥＴなどの機能化された構成要素または半導体を更に含むことができる。前記構成要素は、好ましくは、埋め込み可能なデバイスの共通基板上に設けられる。
【００５７】
本発明の範囲内の様々な変更および修正は当業者には明らかであることから、特定の好ましい実施形態の詳細な説明は、例示のためだけに与えられていることを理解されたい。別段の指定がない限り、本発明の記載された実施形態の特徴は、他の実施形態の文脈で説明された特徴と組み合わせることができる。実施形態にわたる特徴の分離は、本質的に、それぞれの説明の明瞭化のためになされている。本発明の範囲は、特許請求の範囲の請求項の記載によって特定される。
【図１】
0006636013.tif 000002
【図２】
0006636013.tif 000003
【図３】
0006636013.tif 000004
【図４】
0006636013.tif 000005
【図５】
0006636013.tif 000006
【図６】
0006636013.tif 000007
【図７】
0006636013.tif 000008
【図８】
0006636013.tif 000009
【図９】
0006636013.tif 000010
【図１０】
0006636013.tif 000011